(57)【要約】【課題】  巻き取り装置が装着されている場合に、作業者が左手で送りスイッチを押し続けながら、右手で壁紙の先頭部を持ってフィルムに導きながら、排出される壁紙の先頭部の位置を目視して、丁度良い位置で停止させる動作が困難な作業となっている。【解決手段】  巻き取り装置が装着されている場合に実行する巻き取り装置装着時の糊付け実行処理と、巻き取り装置が装着されていない場合に実行する巻き取り装置非装着時の糊付け実行処理と、いずれの糊付け実行処理を実行するかを決定する糊付け実行方法決定処理を有し、巻き取り装置装着時の糊付け実行処理においては、実行糊付け長さが第２設定糊付け長さに到達した時点で糊付け実行を中断し、再度糊付け開始指示がなされた時点から糊付けを再開する。【選択図】図５
2020157557.tif 000002
【特許請求の範囲】
【請求項１】
予め定められた処理を実行する演算部と、
糊を塗布した壁紙の長さを算出するための検尺手段と、
作動条件の入力および作動状態の出力を行う表示操作部と、
作動条件や糊付け実行実績などを記憶する記憶部を備え、
所定の長さの壁紙に糊付けを行う自動壁紙糊付機であって、
糊を塗布した壁紙にフィルムを貼り合わせるための巻き取り装置が装着されている場合に実行する巻き取り装置装着時の糊付け実行処理と、
巻き取り装置が装着されていない場合に実行する巻き取り装置非装着時の糊付け実行処理と、いずれの糊付け実行処理を実行するかを決定する糊付け実行方法決定処理を有し、
糊を塗布する壁紙の全長を設定するための第１設定糊付け長さと、
糊付け実行を中断させるための第２設定糊付け長さを設け、
前記巻き取り装置装着時の糊付け実行処理においては、
糊付け開始指示により糊付けを開始し、
前記検尺手段の信号から実行糊付け長さを算出し、
前記実行糊付け長さが前記第２設定糊付け長さに到達した時点で糊付け実行を中断し、
再度糊付け開始指示がなされた時点から糊付けを再開し、
前記実行糊付け長さが前記第１設定糊付け長さに達した時点で糊付け実行を完了し、
前記巻き取り装置非装着時の糊付け実行処理においては、
糊付け開始指示により糊付けを開始し、
前記検尺手段の信号から前記実行糊付け長さを算出し、
前記実行糊付け長さが前記第１設定糊付け長さに達した時点で糊付け実行を完了することを特徴とする自動壁紙糊付機。
【請求項２】
前記第２設定糊付け長さは、糊を塗布した壁紙の先頭が前記巻き取り装置に到達するまでの長さであることを特徴とする前記請求項１記載の自動壁紙糊付機。
【請求項３】
糊を塗布した壁紙の前記実行糊付け長さに、
糊付け実行前に前記巻き取り装置に巻き付けたフィルムの前余長と、
糊付け実行後に前記巻き取り装置に巻き付けたフィルムの後余長を加算することにより、
壁紙に貼り合わせたフィルムの長さを算出することを特徴とする前記請求項２記載の自動壁紙糊付機。
【請求項４】
糊付け実行の中断中に「糊付け開始指示」がなされた場合に、所定の時間遅延してから
糊付けを再開することを特徴とする前記請求項２、または前記請求項３記載の自動壁紙糊付機。
【発明の詳細な説明】
【技術分野】
【０００１】
本発明は、オプションとして装着された手動式巻き取り装置が装着されている場合に、作業者が壁紙の先頭部を巻き取り装置のフィルムに貼り合わせる作業を補助する機能を有する自動壁紙糊付機である。
【背景技術】
【０００２】
従来より、部屋の天井や壁などに壁紙を貼って装飾する内装施工には、壁紙に糊を塗布するために壁紙糊付機がよく用いられている。
壁紙糊付機を用いて壁紙の裏面に糊を塗布する方法として、壁紙糊付機から排出される糊付き壁紙を、床あるいは専用の受け台の上に糊面どうしが貼り合わさって蓄積された所定の長さの壁紙を１０枚程度（一部屋分以上の数枚）作ってから、部屋の天井や壁などに貼る方法がよく実施されている。
また、最近、塗布されている糊の乾燥の防止や、糊の筋を消すなどの目的のために、糊を塗布した壁紙の裏面にフィルムを貼り合わせて、糊が塗布された壁紙とフィルムを一緒に巻き取ってロール状の所定の長さの壁紙を作っておき、壁に貼る直前に剥がすという施工方法が実施されるようになり、簡易的な手動式の安価な巻き取り装置が具現化され、壁紙糊付機のオプション品として販売され、内装施工現場の事情に応じて２種類の方法が作業者の判断で使い分けされている。
【先行技術文献】
【特許文献】
【０００３】
【特許文献１】特開２０１８−４３４６６号
【発明の開示】
【発明が解決しようとする課題】
【０００４】
従来技術の壁紙糊付機に巻き取り装置を装着して糊付けを行う方法を、図１０に示すフローチャートを用いて説明する。
作業者は、今から糊付けを行う壁紙の長さと枚数を入力するために、壁紙糊付機の演算部に処理ＪＴＰ１を実行させ、壁紙糊付機の脚にセットされているフィルム原反から先頭部を引き出して、巻き取り装置の巻き取り芯棒に巻き付けておいて、長さと枚数の入力を完了した後、糊付け開始指示であるスタートスイッチを押す前に、「送りスイッチ（押している間だけモーターが寸動する）」を押して糊が塗布された壁紙の先頭部を巻き取り装置のテンションバーの所まで排出させて貼り付けておいてから、スタートスイッチを押して壁紙糊付機の演算部に糊付け開始指示を出すと、演算部は検尺手段の検尺パルス信号を計数し（処理ＪＴＰ２）、所定の長さの壁紙に糊を塗布して（処理ＪＴＰ３）糊付けを完了する（処理ＪＴＰ４）のであるが、左手で「送りスイッチ」を押し続けながら、右手で壁紙の先頭を持ってフィルムに導きながら、排出される壁紙の先頭の位置を目視して、丁度良い位置で停止させる動作が、作業者にとって困難な作業となっている。
また、右手で壁紙の先頭部をフィルムに当てて保持しながら、左手でスタートスイッチを押した後すぐに手回しハンドルを持って回すのが困難な作業となっている。
このような背景から、安価な巻き取り装置であるという利点を生かしながら、壁紙糊付機側の機能で、少しでも使い勝手をよくしてほしいという要望がある。
【課題を解決するための手段】
【０００５】
予め定められた処理を実行する演算部と、
糊を塗布した壁紙の長さを算出するための検尺手段と、
作動条件の入力および作動状態の出力を行う表示操作部と、
作動条件や糊付け実行実績などを記憶する記憶部を備え、
所定の長さの壁紙に糊付けを行う自動壁紙糊付機であって、
糊を塗布した壁紙にフィルムを貼り合わせるための巻き取り装置が装着されている場合に実行する巻き取り装置装着時の糊付け実行処理と、
巻き取り装置が装着されていない場合に実行する巻き取り装置非装着時の糊付け実行処理と、いずれの糊付け実行処理を実行するかを決定する糊付け実行方法決定処理を有し、
糊を塗布する壁紙の全長を設定するための第１設定糊付け長さと、
糊付け実行を中断させるための第２設定糊付け長さを設け、
巻き取り装置装着時の糊付け実行処理においては、
糊付け開始指示により糊付けを開始し、
検尺手段の信号から実行糊付け長さを算出し、
実行糊付け長さが第２設定糊付け長さに到達した時点で糊付け実行を中断し、
再度糊付け開始指示がなされた時点から糊付けを再開し、
実行糊付け長さが第１設定糊付け長さに達した時点で糊付け実行を完了し、
巻き取り装置非装着時の糊付け実行処理においては、
糊付け開始指示により糊付けを開始し、
検尺手段の信号から実行糊付け長さを算出し、
実行糊付け長さが第１設定糊付け長さに達した時点で糊付け実行を完了する
ことを特徴とする。
【０００６】
第２設定糊付け長さは、糊を塗布した壁紙の先頭が巻き取り装置に到達するまでの長さであることを特徴とする。
【０００７】
糊を塗布した壁紙の実行糊付け長さに、
糊付け実行前に巻き取り装置に巻き付けたフィルムの前余長と、
糊付け実行後に巻き取り装置に巻き付けたフィルムの後余長を加算することにより、
壁紙に貼り合わせたフィルムの長さを算出することを特徴とする。
【０００８】
糊付け実行の中断中に「糊付け開始指示」がなされた場合に、所定の時間遅延してから
糊付けを再開することを特徴とする。
【発明の効果】
【０００９】
予め定められた処理を実行する演算部と、
糊を塗布した壁紙の長さを算出するための検尺手段と、
作動条件の入力および作動状態の出力を行う表示操作部と、
作動条件や糊付け実行実績などを記憶する記憶部を備え、
所定の長さの壁紙に糊付けを行う自動壁紙糊付機であって、
糊を塗布した壁紙にフィルムを貼り合わせるための巻き取り装置が装着されている場合に実行する巻き取り装置装着時の糊付け実行処理と、
巻き取り装置が装着されていない場合に実行する巻き取り装置非装着時の糊付け実行処理と、いずれの糊付け実行処理を実行するかを決定する糊付け実行方法決定処理を有し、
糊を塗布する壁紙の全長を設定するための第１設定糊付け長さと、
糊付け実行を中断させるための第２設定糊付け長さを設け、
巻き取り装置装着時の糊付け実行処理においては、
糊付け開始指示により糊付けを開始し、
検尺手段の信号から実行糊付け長さを算出し、
実行糊付け長さが第２設定糊付け長さに到達した時点で糊付け実行を中断し、
再度糊付け開始指示がなされた時点から糊付けを再開し、
実行糊付け長さが第１設定糊付け長さに達した時点で糊付け実行を完了し、
巻き取り装置非装着時の糊付け実行処理においては、
糊付け開始指示により糊付けを開始し、
検尺手段の信号から実行糊付け長さを算出し、
実行糊付け長さが第１設定糊付け長さに達した時点で糊付け実行を完了する
ことを特徴とするので、
作業者が左手で送りスイッチを押し続けながら、右手で壁紙の先頭を持ってフィルムに導きながら、排出される壁紙の先頭部の位置を目視して停止させる動作は必要がない。
また、巻き取り装置側に手段を設けていないので、安価で簡易的であるという、巻き取り装置の利点を損なうことはない。
【００１０】
第２設定糊付け長さは、糊を塗布した壁紙の先頭が巻き取り装置に到達するまでの長さであることを特徴とするので、
壁紙の先頭が巻き取り装置のフィルムに到達した位置で停止するので、壁紙の先頭部をフィルムに貼り合わせる作業が容易である。
【００１１】
糊を塗布した壁紙の実行糊付け長さに、
糊付け実行前に巻き取り装置に巻き付けたフィルムの前余長と、
糊付け実行後に巻き取り装置に巻き付けたフィルムの後余長を加算することにより、
壁紙に貼り合わせたフィルムの長さを算出することを特徴とするので、
巻き取り装置のフィルムの量を常時把握でき、糊付け途中でなくなってしまうことを防止できる。
また、巻き取り装置側に手段を設けていないので、安価で簡易的であるという、巻き取り装置の利点を損なうことはない。
【００１２】
糊付け実行の中断中に「糊付け開始指示」がなされた場合に、所定の時間遅延してから
糊付けを再開することを特徴とするので、
ゆっくりした動作で確実に左手を手回しハンドルに持っていくことができる。
【図面の簡単な説明】
【００１３】
【図１】図１は、本発明の自動壁紙糊付機を説明するための斜視図である。
【図２】図２は、本発明の自動壁紙糊付機のブロック図である。
【図３】図３は、本発明の自動壁紙糊付機の表示操作部を説明するための図である。
【図４】図４は、本発明の自動壁紙糊付機の演算部が実行するメイン処理のフローチャートである。
【図５】図５は、本発明の自動壁紙糊付機の演算部が実行する糊付け実行処理のフローチャートである。
【図６】図６は、本発明の自動壁紙糊付機に第２設定糊付け長さを設定する画面である。
【図７】図７は、本発明の自動壁紙糊付機において、巻き取り装置にセットされたフィルムに壁紙を巻き付ける様子を説明するための図であり、図７（ａ）は壁紙の糊付けを実行する前に壁紙の先頭が作られた状態であり、図７（ｂ）は壁紙の先頭がフィルムに貼り付けられた状態である。
【図８】図８は、本発明の自動壁紙糊付機において、巻き取り装置にセットされたフィルムに壁紙を巻き付ける様子を説明するための図であり、図８（ａ）は、１枚の糊付けが完了し、壁紙の後尾が作られた状態であり、図８（ｂ）はフィルム後尾が作られた状態である。
【図９】図９は、壁紙に貼り合わされたフィルムの長さの算出方法を説明するための図である。
【図１０】図１０は、従来技術の自動壁紙糊付機の演算部が糊付けを実行する処理のフローチャートである。
【発明を実施するための最良の形態】
【００１４】
図１を用いて本発明の自動壁紙糊付機（１）の構成を説明する。図１は自動壁紙糊付機（１）とは別体のオプション品の手動式の巻き取り装置（６１）が装着された状態である。
自動壁紙糊付機（１）は、脚（２）と本体（３）と壁紙の測縁部を裁断するスリッター（図示せず）と制御装置（５）で構成され、
本体（３）には、壁紙を搬送しながら糊を塗布するための複数の歯車や、送り出しローラー（１２）、壁紙に従動して回転して検尺パルス信号を生成する検尺ローラー（７）、糊を塗布する糊付けローラー（８）、壁紙を押さえる押さえローラー（９）、糊面を均すためのナラシローラー（１０）などが軸支され、糊箱（４）が装着されている。壁紙の壁紙原反Ｂは脚（２）の原反受け（６）にセットされる。
【００１５】
壁紙は、送り出しローラー（１２）と検尺ローラー（７）に挟まれて搬送され、糊付けローラー（８）によって裏面に糊が塗布され、ナラシローラー（１０）により糊面が均されて、排出ガイド片（１１）を通過して糊箱（４）の前へ排出され、重力により下方へ垂れ下がる。
【００１６】
巻き取り装置（６１）は、アーム（６２）とフィルム原反受け（６３）と手回しハンドル（６４）と第１テンションバー（６５）と第２テンションバー（６６）と巻き取り芯棒（６７）と巻き取り補助棒（６８）で構成されており、内装施工現場において、自動壁紙糊付機（１）の脚（２）に装着される。
【００１７】
続いて、図２に本発明の自動壁紙糊付機（１）の制御装置（５）の機能ブロックを示し、図３に表示操作部（３１）を示し、制御装置（５）を説明する。
モーター（３４）はＤＣブラシレスモーターであり、内部に実装されたホール素子によりローターの位置を検出して回転方向と回転速度に比例した信号を出力する機能を有している。
【００１８】
モーター制御部（３７）はモーター（３４）から出力される回転方向や回転速度に比例した信号によりモーター（３４）を速度制御する。
【００１９】
表示操作部（３１）は作動条件の入力や作動状態の出力や作動指示を行うためのものであり、表示部（３２）と操作部（３３）から成る。
表示部（３２）は液晶表示器であり、操作部（３３）はプリント基板上に複数のタクトスイッチが配置されたものである。
【００２０】
操作部（３３）には、糊を付ける壁紙の長さや枚数などを設定するための数字０から９と小数点の複数の数字スイッチ（４５）、セットスイッチ（４６）、リセットスイッチ（４７）、クリアスイッチ（４８）、設定情報を見るための情報スイッチ（４９）、カーソル移動スイッチ（５０）や、壁紙の搬送を寸動させるための送りスイッチ（５１）、糊付けの実行開始を指示するためのスタートスイッチ（５２）、糊付けの実行速度を指示するスピードスイッチ（５３）などが設けられている。
【００２１】
表示部（３２）には、糊を付ける壁紙の長さを表示する設定糊付け長さ表示欄（５６）と、糊を付けて排出した壁紙の長さを表示する実行糊付け長さ表示欄（５７）と、設定枚数または実行枚数を表示する枚数表示欄（５５）と、巻き取り装置（６１）のフィルム原反受け（６３）にセットされているフィルムの使用量と残量を切り替えて表示するフィルム残表示欄（５４）や、警告や作動状態表示欄（図示せず）などが設けられている。
また、表示操作部（３１）には、操作音や通知音を発生するブザー（図示せず）が設けられている。
【００２２】
記憶部（３５）は、演算部（３６）が処理を実行する為に必要な変数や、作動条件などのデータや糊付実行レコード等のデーターを記憶するためのＲＡＭとＲＯＭである。
【００２３】
検尺手段（３８）は、搬送される壁紙に従動回転する検尺ローラー（７）の回転に比例する検尺パルス信号を生成する。
【００２４】
入出力制御部（３９）は、フットスイッチ（４０）と通信コネクタ（４１）などからの信号を受信するための回路である。
【００２５】
演算部（３６）は主にワンチップマイコンからなり、予め定められた処理を実行することにより、自動壁紙糊付機（１）を制御するものである。
【００２６】
また、演算部（３６）は、検尺手段（３８）により生成された検尺パルス信号を１つ計数する毎に、第１のカウンタとしてのパラメータｔを、ｔ←ｔ＋１として加算し、糊を塗布して排出した壁紙Ａの長さを、「実行糊付け長さＬ」として、Ｌ＝ｔ×Ｐ、（Ｐは検尺パルス信号を１つ計数した場合の壁紙Ａの移動距離（検尺ローラー（７）の直径に基づき定めている定数））として算出する。
【００２７】
また、演算部（３６）は、水晶振動子のクロックを分周し、周波数の異なる複数のクロックを生成し、時間の異なる複数のソフトウェアタイマーを生成する機能を有している。
【００２８】
また、演算部（３６）は、表示操作部（３１）やモーター制御部（３７）や入出力制御部（３９）などを制御する機能を有している。
【００２９】
続いて、図４と図５のフローチャートを用いて、自動壁紙糊付機（１）の演算部（３６）が実行する処理を説明する。
図４は、制御装置（５）の電源が入れられて起動する「メイン処理」であり、図５は「糊付け実行処理」である。
【００３０】
「メイン処理」の処理ＭＴＰ１は、これから糊付けを行う壁紙の糊付け予定レコードと糊付けを行った結果である糊付け実績レコードを生成するための処理である。
【００３１】
処理ＭＴＰ２は、所定の長さの壁紙に糊を塗布する「糊付け実行処理」である。
【００３２】
処理ＭＴＰ３は、作動条件や残量表示条件などの作動件を設定する「作動条件設定処理」であり、
作業者により、「作動条件設定処理メニュー」（図示せず）から、巻き取り装置（６１）が装着しているか、装着していないかの設定処理の起動が指示されると、演算部（３６）は、図６に示す、「第２設定糊付け長さ選択画面」を表示し、第２設定糊付け長さ表示欄（５８）に、初期値として１９ｃｍを代入して表示しておき、作業者により、１８ｃｍ、あるいは２０ｃｍ、あるいは０ｃｍに選択設定されるのを待ち、選択された第２設定糊付け長さ表示欄（５８）の長さを「第２設定糊付け長さＲ」の値として記憶部（３５）に記憶する。
「第２設定糊付け長さＲ」＝０ｃｍが選択された場合は、巻き取り装置を装着していないという設定であり、「第２設定糊付け長さＲ」が０ｃｍ以外が選択された場合は、巻き取り装置を装着しているという設定となる。
【００３３】
本発明で、「第２設定糊付け長さ」の初期値を１９ｃｍを代入している理由は、図７（ａ）に示す、カッターガイド（１３）の位置で切断された壁紙先頭Ｃが巻き取り装置（６１）の第１テンションバー（６５）と第２テンションバー（６６）の中間点まで到達する長さが約１９ｃｍであるので初期値を１９ｃｍとしている。
作動条件の設定が完了すると、演算部（３６）は処理ＭＴＰ２を実行し、図５に示す「糊付け実行処理」を実行する。
【００３４】
図５の処理ＳＴＰ１は、巻き取り装置の装着、非装着を判定して、実行する「糊付け実行処理」を決定する、「糊付け実行方法決定処理」であり、
演算部（３６）は記憶部（３５）に記憶されている「第２設定糊付け長さＲ」の値を読んで、「糊付け実行処理」を「巻き取り装置非装着時動作」で実行するか、あるいは「巻き取り装置装着時動作」で実行するかを決定して分岐する処理である。
演算部（３６）は、「第２設定糊付け長さＲ」＝０ｃｍであれば、「巻き取り装置非装着時動作」を実行するために処理をＨＴＰ１へ分岐し、「第２設定糊付け長さＲ」が０ｃｍ以外であれば、「巻き取り装置装着時動作」を実行するために処理をＳＴＰ２へ分岐する。
図５の左側の流れ、処理ＳＴＰ２と処理ＳＴＰ３と処理ＳＴＰ４と処理ＳＴＰ５と処理ＳＴＰ６と処理ＳＴＰ７と処理ＳＴＰ８が「巻き取り装置装着時の糊付け実行処理」であり、
右側の流れ、処理ＨＴＰ１と処理ＨＴＰ２と処理ＨＴＰ３と処理ＨＴＰ４「巻き取り装置非装着時の糊付け実行処理」である。
【００３５】
「巻き取り装置装着時動作」を説明する。
処理ＳＴＰ２では、演算部（３６）は、操作部（３３）の数字スイッチ（４５）などを有効にして糊付け実行に必要な情報の入力を待つ待機状態である。
演算部（３６）が待機している間に作業者は、 図７（ａ）に示すように、今から糊付けを行う壁紙Ａに貼り合わせるフィルムＥのフィルム先頭Ｇを、巻き取り装置（６１）の第１テンションバー（６５）と第２テンションバー（６６）の間を通して、巻き取り補助棒（６８）に引っかけて、手回しハンドル（６４）を約１回転させてフィルムＥを巻き取り補助棒（６８）と巻き取り芯棒（６７）に１回巻き付けて手回しハンドル（６４）から手を離す（フィルムＥは張られた状態で保持される）。
続いて作業者は、壁紙Ａの先端部分を糊箱（４）に押しつけ、カッターナイフを用いて、カッターガイド（１３）の位置で一直線に切断して、１枚目の壁紙Ａの壁紙先頭Ｃを作る。
【００３６】
その後、作業者により、糊付け実行に必要な情報として、今から糊を付ける壁紙の全長と枚数が入力されると、
演算部（３６）は入力された長さを表示部（３２）の設定糊付け長さ表示欄（５６）に表示すると共に、「第１設定糊付け長さＱ（糊を付ける壁紙の全長）」として記憶部（３５）に記憶し、枚数を表示部（３２）の枚数表示欄（５５）に表示すると共に、「設定糊付け枚数Ｈ」として記憶部（３５）に記憶する。
【００３７】
「第１設定糊付け長さＱ」＝２５０ｃｍ、「設定糊付け枚数Ｈ」＝２枚、「第２設定糊付け長さＲ」＝２０ｃｍとして、「巻き取り装置装着時動作」での「糊付け実行処理」を説明する。
作業者により、スタートスイッチ（５２）が押され「糊付け開始指示」がなされると、
演算部（３６）は処理ＳＴＰ３を実行し、モーター（３４）を起動し、１枚目の糊付けを開始し、糊を塗布した壁紙Ａを排出ガイド片（１１）から糊箱（４）の前方へ、作業者の手がスタートスイッチ（５２）から離れた後でも排出を続け、検尺パルス信号を１つ計数する毎に、第１のカウンタとしてのパラメータｔを、ｔ←ｔ＋１として加算し、「実行糊付け長さＬ」を、Ｌ＝ｔ×Ｐの式により算出し、表示部（３２）の実行糊付け長さ（５７）の欄をカウントアップして表示する。
【００３８】
処理ＳＴＰ４において、演算部（３６）は「実行糊付け長さＬ」が「第２設定糊付け長さＲ」＝２０ｃｍに到達したかどうかを判定し、到達すれば処理ＳＴＰ５を実行し、
【００３９】
処理ＳＴＰ５において、演算部（３６）はモーター（３４）を停止させて壁紙Ａの搬送を停止して、糊付けを中断する。中断している間に作業者は、壁紙Ａの壁紙先頭Ｃを第１テンションバー（６５）と第２テンションバー（６６）のフィルムＥに貼り合わせると、壁紙ＡとフィルムＥは図７（ｂ）の状態になる。
【００４０】
処理ＳＴＰ５において、作業者が、再びスタートスイッチ（５２）を押すか、あるいは、フットスイッチ（４０）を踏むことにより「糊付け開始指示」がだされると、演算部（３６）は処理ＳＴＰ６を実行し、所定の時間遅延した後、モーター（３４）を再起動させて、中断していた１枚目の壁紙Ａの糊付けを続きから実行し、検尺パルス信号を計数し、パラメータｔを、ｔ←ｔ＋１として加算し、「実行糊付け長さＬ」を、Ｌ＝ｔ×Ｐの式により算出し、
表示部（３２）の実行糊付け長さ表示欄（５７）をカウントアップして表示する。
作業者は、演算部（３６）がモーター（３４）の再起動を遅延している間に、手回しハンドル（６４）をしっかり持って、排出ガイド片（１１）から糊箱（４）の前方へ排出される壁紙Ａを、巻き取り芯棒（６７）と巻き取り補助棒（６８）に巻き取っていく作業を、排出される壁紙Ａの速度に合わせて行う。
【００４１】
そして、演算部（３６）は処理ＳＴＰ７を実行し、「実行糊付け長さＬ」が「第１設定糊付け長さＱ」＝２５０ｃｍに到達したかどうかを判定し、到達すれば処理ＳＴＰ８を実行する。
【００４２】
処理ＳＴＰ８では、演算部（３６）は、モーター（３４）を停止させて、
実行糊付け長さ表示欄（５７）に「実行糊付け長さＬ」＝２５０ｃｍを表示し、
設定糊付け長さ表示欄（５６）に「第１設定糊付け長さＱ」＝２５０ｃｍを表示し、
枚数表示欄（５５）に、残り枚数という意味で枚数を１枚減算して、「設定糊付け枚数Ｈ」＝１枚を表示し、１枚目の壁紙Ａの糊付けが正常に完了したことを作業者に通知する。
【００４３】
更に、処理ＳＴＰ８で演算部（３６）は、糊付け実績レコードを、
「糊付け番号Ｎ」＝１、
「実行糊付け長さＬ」＝２５０ｃｍ、
「実行糊付け枚数Ｖ」＝１枚、
「使用したフィルムの長さＫ」＝２９０ｃｍ、
などの項目で生成し、記憶部（３５）に、現在時刻と共に記憶する。
そして、演算部（３６）は、２枚目の糊付けを行うために処理ＳＴＰ２を実行し、作業者から「糊付け開始指示」が出されるまで待機する。
【００４４】
この間、作業者は、図８（ａ）に示す状態のように、壁紙Ａをカッターガイド（１３）の位置で切断して壁紙後尾Ｄを作って、壁紙後尾Ｄが、巻き取り補助棒（６８）と巻き取り芯棒（６７）に巻き付けられるまで巻き取り、フィルムＥを第２テンションバー（６６）の下方で切断する（図８（ｂ）の状態）。ここまでの作業で、巻き取り装置（６１）には、１枚目の糊付き壁紙ＡにフィルムＥが貼り合わされた状態で巻き取られている。
【００４５】
続いて作業者は、１枚目の糊付き壁紙ＡとフィルムＥが貼り合わさった状態で巻き取られたものを、巻き取り補助棒（６８）と巻き取り芯棒（６７）から抜いて専用の運搬ケース等に入れてから、２枚目の壁紙Ａの糊付けを行う。
作業者は２枚目で使用するフィルムＥのフィルム先頭Ｇを巻き取り装置（６１）の巻き取り補助棒（６８）に引っかけて手回しハンドル（６４）を約１回転させて、巻き取り補助棒（６８）と巻き取り芯棒（６７）に１回巻き付けてフィルムＥの準備をし、スタートスイッチ（５２）を押して、「糊付け開始指示」を出すと、演算部（３６）は処理ＳＴＰ３を実行して２枚目の糊付けを開始し、処理ＳＴＰ４、処理ＳＴＰ５、処理ＳＴＰ６、処理ＳＴＰ７、処理ＳＴＰ８を実行し、作業者は、作業者は手回しハンドル（６４）を回して、壁紙Ａを巻き取り芯棒（６７）と巻き取り補助棒（６８）に巻き取っていく作業を、排出される壁紙Ａの速度に合わせていく作業を行うことにより２枚目の糊付けが完了する。
【００４６】
続いて、「使用したフィルムの長さＫ」を算出する方法を図９を用いて説明する。
図９は、壁紙ＡにフィルムＥを貼り合わせて巻き取った１枚のものを広げた状態である。
演算部（３６）は１枚の糊付き壁紙で「使用したフィルムの長さＫ」を、
「使用したフィルムの長さＫ」＝「実行糊付け長さＬ」＋「前余長Ｊ」＋「後余長Ｉ」の式により算出する。
「前余長Ｊ」とは、図７（ａ）に示すように、フィルム先頭Ｇを第１テンションバー（６５）と第２テンションバー（６６）の間を通して、巻き取り装置（６１）の巻き取り補助棒（６８）に引っかけて、手回しハンドル（６４）を約１回転させて、巻き取り補助棒（６８）と巻き取り芯棒（６７）に１回巻き付けたフィルムＥの長さであり、本発明では「前余長Ｊ」＝４０ｃｍを予め記憶部（３５）に記憶している。
また、「後余長Ｉ」とは、図８（ｂ）に示すように、壁紙後尾Ｄが、巻き取り補助棒（６８）と巻き取り芯棒（６７）に巻き付けられるまで手回しハンドル（６４）回した後に、フィルムＥを第２テンションバー（６６）の下方で切断した際に、壁紙後尾Ｄの後ろに巻き込んだフィルムＥの長さであり、「後余長Ｉ」＝４０ｃｍを予め記憶部（３５）に記憶している。
【００４７】
そして演算部（３６）は、糊付き壁紙Ａを１枚作る毎に、「糊付け番号Ｎ」をキー項目として、「実行糊付け長さＬ」、「実行糊付け枚数Ｖ」、「使用したフィルムの長さＫ」を記憶部（３５）に記憶するとともに、「使用したフィルムの長さＫ」の累積長さを算出し、フィルムＥの使用長さの合計とフィルム原反残量Ｆを算出して、フィルム残量表示欄（５４）に表示する。
【００４８】
続いて、「巻き取り装置非装着時動作」を説明する。
図５の処理ＨＴＰ１は、演算部（３６）は、操作部（３３）の数字スイッチ（４５）などを有効にして糊付け実行に必要な情報の入力を待っている状態である。演算部（３６）が待機している間に、作業者は、壁紙Ａの先端部分を糊箱（４）に押しつけ、カッッターを用いて、カッターガイド（１３）の位置で一直線に切断して、１枚目の壁紙Ａの壁紙先頭Ｃを作る。
【００４９】
その後、作業者により、糊付け実行に必要な情報として、今から糊を付ける壁紙Ａの全長と枚数が入力されると、演算部（３６）は、今から糊を付ける壁紙の全長を「第１設定糊付け長さＱ」、その長さの壁紙の枚数を「設定糊付け枚数Ｈ」として記憶部（３５）に記憶する。「第１設定糊付け長さＱ」＝２５０ｃｍ、「設定糊付け枚数Ｈ」＝２枚として以下説明する。
【００５０】
作業者により、スタートスイッチ（５２）が押されて、「糊付け開始指示」がなされると、
演算部（３６）は処理ＨＴＰ２を実行し、モーター（３４）を起動し、１枚目の糊付けを実行し、糊を塗布した壁紙Ａを排出ガイド片（１１）から糊箱（４）の前方へ排出し、
検尺パルス信号を１つ計数する毎に、「実行糊付け長さＬ」を算出し、表示部（３２）の実行糊付け長さ欄（５７）をカウントアップして表示する。
【００５１】
処理ＨＴＰ３では、「実行糊付け長さＬ」が「第１設定糊付け長さＱ」＝２５０ｃｍに到達したかどうかを判定し、到達すれば処理ＨＴＰ４を実行する。
【００５２】
処理ＨＴＰ４では、演算部（３６）は、モーター（３４）を停止させて１枚目の壁紙Ａの糊付けを完了し、
枚数表示欄（５５）に１枚を表示し、
設定糊付け長さ表示欄（５６）に「第１設定糊付け長さＱ」＝２５０ｃｍを表示し、
実行糊付け長さ表示欄（５７）に「実行糊付け長さＬ」＝２５０ｃｍを表示し、
２枚目の糊付けを実行するために処理ＨＴＰ１を実行し、「糊付け開始指示」を待つ。
作業者は、壁紙Ａをカッターガイド（１３）の位置で切断して壁紙後尾Ｄを作り、１枚目の壁紙Ａの糊付けが完了する。
【００５３】
続いて、作業者は、演算部（３６）が処理ＨＴＰ１を実行している状態で、スタートスイッチ（５２）を押して、「糊付け開始指示」を出すと、演算部（３６）は処理ＨＴＰ２を実行して２枚目の糊付けを開始し、処理ＨＴＰ３、処理ＨＴＰ４を実行して２枚目が完了する。
【００５４】
本発明の図５に示すフローチャトでは、（「巻き取り装置装着判定処理」処理ＳＴＰ１）を、「第１設定糊付け長さＱ」の設定よりも前に実行する処理としているが、（「巻き取り装置装着判定処理」処理ＳＴＰ１）を処理ＳＴＰ３の中に入れて、「糊付け開始指示」が出された直後に判定し、「第２設定糊付け長さＲ」が０ｃｍであれば、処理ＳＴＰ６にジャンプするようにしても同様の効果は得られる。
【符号の説明】
【００５５】
１    自動壁紙糊付機
２    脚
３    本体
４    糊箱
５    制御装置
６    原反受け
７    検尺ローラー
８    糊付けローラー
９    押さえローラー
１０  ナラシローラー
１１  排出ガイド片
１２  送り出しローラー
１３  カッターガイド
３１  表示操作部
３２  表示部
３３  操作部
３４  モーター
３５  記憶部
３６  演算部
３７  モーター制御部
３８  検尺手段
３９  入出力制御部
４０  フットスイッチ
４１  通信コネクタ
４５  数字スイッチ
４６  セットスイッチ
４７  リセットスイッチ
４８  クリアスイッチ
４９  情報スイッチ
５０  カーソル移動スイッチ
５１  送りスイッチ
５２  スタートスイッチ
５３  スピードスイッチ
５４  フィルム残量表示欄
５５  枚数表示欄
５６  設定糊付け長さ表示欄
５７  実行糊付け長さ表示欄
５８  第２設定糊付け長さ表示欄
６１  巻き取り装置
６２  アーム
６３  フィルム原反受け
６４  手回しハンドル
６５  第１テンションバー
６６  第２テンションバー
６７  巻き取り芯棒
６８  巻き取り補助棒
Ａ   壁紙
Ｂ   壁紙原反
Ｃ   壁紙先頭
Ｄ   壁紙後尾
Ｅ   フィルム
Ｆ   フィルム原反
Ｇ   フィルム先頭
Ｈ   フィルム後尾
【図１】
2020157557.tif 000003
【図２】
2020157557.tif 000004
【図３】
2020157557.tif 000005
【図４】
2020157557.tif 000006
【図５】
2020157557.tif 000007
【図６】
2020157557.tif 000008
【図７】
2020157557.tif 000009
【図８】
2020157557.tif 000010
【図９】
2020157557.tif 000011
【図１０】
2020157557.tif 000012